(57)【要約】      （修正有）【課題】単一のＱＲコード（登録商標）画像を適宜に分割した割り符式の分割画像を用いた画像合わせにより、各種の補助コードとしての利用が可能なるよう具現化する。【解決手段】適宜素材の基本カード１と透明素材の透明カード２とに、単一のＱＲコード画像３を適宜に分割した割り符式の分割画像３ａ，３ｂとして各々印刷し、この各別に印刷した分割画像３ａ，３ｂを組み合わせ重合させることにより、単一のＱＲコード画像３として内容の読み取りを可能とする基本カード１と透明カード２の組み合わせ。また、適宜の出版物等と透明素材の透明カード２とに、単一のＱＲコード画像３を適宜に分割した割り符式の分割画像３ａ，３ｂとして各々印刷し、この各別に印刷した分割画像３ａ，３ｂを組み合わせ重合させることにより、単一のＱＲコード画像３として内容の読み取りを行うと共に、インターネット経由にて必要な情報を入手可能とする。【選択図】図１
0003145609.tif 000002
【実用新案登録請求の範囲】
【請求項１】
適宜の大きさと形状を有する適宜素材の基本カード（１）と透明素材の透明カード（２）とに、単一のＱＲコード画像（３）を適宜に分割した割り符式の分割画像（３ａ），（３ｂ）として各々印刷し、この各別に印刷した分割画像（３ａ），（３ｂ）を組み合わせ重合させることにより、単一のＱＲコード画像（３）として内容の読み取りを可能とする基本カード（１）と透明カード（２）の組み合わせ。
【請求項２】
適宜の出版物等（４）と、適宜の大きさと形状を有する透明素材の透明カード（２）とに、単一のＱＲコード画像（３）を適宜に分割した割り符式の分割画像（３ａ），（３ｂ）として各々印刷し、この各別に印刷した分割画像（３ａ），（３ｂ）を組み合わせ重合させることにより、単一のＱＲコード画像（３）として内容の読み取りを行うと共に、インターネット経由にて必要な情報を入手可能とする出版物等（４）と透明カード（２）の組み合わせ。
【考案の詳細な説明】
【技術分野】
【０００１】  この考案は、割り符式ＱＲコードに関し、単一のＱＲコード画像を割り符式画像として分割印刷した複数枚の適宜カードを重合させることにより、元の単一のＱＲコード画像として内容の読み取りを可能とするもの等の分野に属する。
「ＱＲコードは、（株）デンソーウェーブ社の登録商標です」
【背景技術】
【０００２】  近年、直線状に延びる太さの異なる多数の線を平行に配列したバーコードに代えて情報量の多い２次元コードが普及している。この２次元コードには、バーコードを積み重ねたスタックバーコード、このスタックバーコードより更に情報密度を高めたＱＲコードが知られている。このＱＲコードは、情報が２次元的な広がりを持ち、バーコード方式に比して格段に大量の情報を記録することができる。従来のバーコードは自社製品若しくは店舗内での商品を特定し、読取装置で読み取ることにより特定された商品の商品名や定価等の必要最小限の情報を読取装置内若しくは読取装置とネットワーク接続されたサーバーから呼び出すものであったのに対し、ＱＲコードでは産地や製造者等を含めた多岐情報を読取装置から直接読み取って表示することができるものである。【０００３】  このようなＱＲコードは、その存在位置を特定するための特定比率の正方形を組み合わせた位置決め用シンボルや、これら３個の位置決め用シンボル相互間に設けられて白と黒とが交互に組み合わせられた各データーセル位置の指標となる基準パターンであるタイミングセルを備えている。その利用範囲は、前記商品情報の他コマーシャル情報やインターネット接続のためのＵＲＬ情報等をコード化して商品パッケージ等に印刷するといった新たな利用も普及しつつある。一方各種の電子化が進行中で、特にＱＲコードを用いた栞又は辞書や小説等あらゆる情報を参照することが可能であり、これらの情報を情報媒体であるカードに印刷することで携帯性に格段の利便性を有するものとなる。（例えば、特許文献１及び特許文献２参照）
【特許文献１】特開２００１−１６７２２２号公報
【特許文献２】特開２００６−３１８１１４号公報
【考案の開示】
【考案が解決しようとする課題】
【０００４】  しかし、従来では、このようなＱＲコードを、各種のイベント等における集客促進や商品販売等における販売促進の促進補助コードとして、また、出版物等における独占利用可能な独占補助コードとして利用しているもの等は見当らないため、このＱＲコードを各種の補助コードとして利用可能なるよう具現化しようとするものである。
【課題を解決するための手段】
【０００５】  請求項１の考案は、適宜の大きさと形状を有する適宜素材の基本カード（１）と透明素材の透明カード（２）とに、単一のＱＲコード画像（３）を適宜に分割した割り符式の分割画像（３ａ），（３ｂ）として各々印刷し、この各別に印刷した分割画像（３ａ），（３ｂ）を組み合わせ重合させることにより、単一のＱＲコード画像（３）として内容の読み取りを可能とする基本カード（１）と透明カード（２）の組み合わせの構成とする。【０００６】  このような構成により、単一のＱＲコード画像（３）を適宜に分割した割り符式としての分割画像（３ａ），（３ｂ）を、適宜の大きさと形状による適宜の紙素材等を用いた基本カード（１）と透明のフィルム素材等を用いた透明カード（２）とに各別に印刷を行い、この分割印刷した基本カード（１）の分割画像（３ａ）と透明カード（２）の分割画像（３ｂ）を一体的に重ね合わせることにより、単一のＱＲコード画像（３）として完成させ内容の読み取りを可能とすることができる。【０００７】  請求項２の考案は、適宜の出版物等（４）と、適宜の大きさと形状を有する透明素材の透明カード（２）とに、単一のＱＲコード画像（３）を適宜に分割した割り符式の分割画像（３ａ），（３ｂ）として各々印刷し、この各別に印刷した分割画像（３ａ），（３ｂ）を組み合わせ重合させることにより、単一のＱＲコード画像（３）として内容の読み取りを行うと共に、インターネット経由にて必要な情報を入手可能とする出版物等（４）と透明カード（２）の組み合わせの構成とする。【０００８】  このような構成により、単一のＱＲコード画像（３）を適宜に分割した割り符式としての分割画像（３ａ），（３ｂ）を、文学や小説及び漫画や絵本等による出版物等（４）の適宜ページと、適宜大きさで適宜形状の透明フィルム又は透明シール素材等を用いた多数の透明カード（２）とに各別に印刷を行い、この分割印刷した出版物等（４）の分割画像（３ａ）と透明カード（２）の分割画像（３ｂ）を一体的に重ね合わせることにより、単一のＱＲコード画像（３）として完成させ内容の読み取りを可能にすると共に、このＱＲコードの内容に応じインターネット経由にて必要部分の開示やアニメーション情報及び効果音等をプラスした新たなジャンルの出版物等（４）とすることができる。
【考案の効果】
【０００９】  請求項１の考案では、上記作用の如く、単一のＱＲコード画像（３）を適宜に分割した割り符式の分割画像（３ａ），（３ｂ）を、基本カード（１）と透明カード（２）とに各々印刷を行い、この分割印刷した基本カード（１）の分割画像（３ａ）と透明カード（２）の分割画像（３ｂ）を一体的に重ね合わせることにより、単一のＱＲコード画像（３）として完成させ内容の読み取りを可能とすることができるから、各種のイベントや商品販売等における集客促進や販売促進の促進補助コードとして有効に活用することができる。【００１０】  請求項２の考案では、上記作用の如く、単一のＱＲコード画像（３）を適宜に分割した割り符式の分割画像（３ａ），（３ｂ）を、出版物等（４）の適宜ページと多数の透明カード２とに各々印刷を行い、この分割印刷した出版物等（４）の分割画像（３ａ）と透明カード（２）の分割画像（３ｂ）を一体的に重ね合わせることにより、単一のＱＲコード画像（３）として完成させ内容の読み取りを可能にすると共に、出版物等（４）の内容に応じインターネット経由にて、必要部分の開示やアニメーション情報及び効果音等をプラスした新たなジャンルとしてのデジ小説やデジ漫画及びデジ絵本の出版物等（４）とすることにより、若者の活字離れの防止と、購入者のみが使用許諾される独占利用可能な独占補助コードとして有効に活用することができる。
【考案を実施するための最良の形態】
【００１１】  適宜の大きさと形状を有する適宜素材の基本カード１と透明素材の透明カード２とに、単一のＱＲコード画像３を適宜に分割した割り符式の分割画像３ａ，３ｂとして各々印刷し、この各別に印刷した分割画像３ａ，３ｂを組み合わせ重合させることにより、単一のＱＲコード画像３として内容の読み取りを可能とする基本カード１と透明カード２の組み合わせ。また、適宜の出版物等４と、適宜の大きさと形状を有する透明素材の透明カード２とに、単一のＱＲコード画像３を適宜に分割した割り符式の分割画像３ａ，３ｂとして各々印刷し、この各別に印刷した分割画像３ａ，３ｂを組み合わせ重合させることにより、単一のＱＲコード画像３として内容の読み取りを行うと共に、インターネット経由にて必要な情報を入手可能とする出版物等４と透明カード２の組み合わせ。【００１２】  以下に、この考案の実施例を図面に基づいて説明する。
図１に示す如く、各種のイベントや商品販売等において配布するＱＲコードの割り符式の分割画像３ａ，３ｂを、適宜大きさで適宜形状の紙又はフイルム素材等を用いた基本カード１と透明フイルム又は透明シール素材等を用いた透明カード２とに各々印刷を行い、この分割画像３ａを印刷した基本カード１と分割画像３ｂを印刷した透明カード２の組合せにより、「大当たり」や「残念」又はその他の景品名が表示されるもの等を多数組用意し、この用意した多数組の基本カード１と透明カード２をバラバラにして各種のイベントや商品販売等の会場において配布し、この配布された基本カード１と透明カード２の分割画像３ａ，３ｂを組み合わせ重合させて携帯電話やデジカメ等により撮影を行い、この撮影による画像合わせの結果によってＱＲコードの内容に応じた特典を提供することにより、集客促進や販売促進を行う促進補助コードとして活用することができる。【００１３】  また、図２に示す如く、名作文学や小説及び漫画や絵本等において、これらの出版物等４の適宜ページにＱＲコードの割り符式の分割画像３ａを多数印刷しておくことにより、この出版物等４の購入者のみが取得できる適宜大きさで適宜形状の透明フイルム又は透明シール素材等を用いた多数の透明カード２に各々印刷した分割画像３ｂを、出版物等４の適宜ページに印刷された分割画像３ａと組み合わせ重合させ携帯電話やデジカメ等により撮影を行うことにより、この撮影による画像合わせの結果によって出版物等４の内容に応じ、インターネット経由にて必要部分の内容の開示やアニメーション情報及び効果音等をプラスした新たなジャンルのデジ小説やデジ漫画及びデジ絵本として、出版物等における若者の活字離れを防止できると共に、購入者のみが使用許諾される独占利用可能な独占補助コードとして活用することができる。【００１４】  なお、本実施例では、各種のイベントや商品販売等における集客促進や販売促進の促進補助コードとして、また、出版物等における独占利用可能な独占補助コードとして活用するもの等を例示したが、これら以外のものにても、ＱＲコード画像３を分割した割り符式の分割画像３ａ，３ｂを印刷した対象物等を利用するものは全て含まれるものとする。
【図面の簡単な説明】
【００１５】
【図１】単一のＱＲコード画像、及び基本カードと透明カードに各々印刷された割り符式分割画像の状態を示す平面図。
【図２】出版物等に印刷された割り符式分割画像と出版物等の購入者のみが取得できる割り符式分割画像を印刷した透明カードの状態を示す斜視図。
【符号の説明】
【００１６】    １．  基本カード
２．  透明カード
３．  ＱＲコード画像
３ａ．分割画像
３ｂ．分割画像
４．  出版物等
【図１】
0003145609.tif 000003
【図２】
0003145609.tif 000004